【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
ａ．サンプルを取得するステップと、
ｂ．前記サンプルをサンプルホルダーに設置するステップと、
ｃ．前記サンプルに対して生化学試験手順を選択するステップと、
ｄ．前記サンプルの外部サンプル領域の少なくとも一部を少なくとも１つの流体物質に暴露するステップと、
ｅ．前記生化学試験手順の一部として吸収材料の未使用部分を露出位置に設置するよう吸収材料を自動的に配列するステップと、
ｆ．吸収材料の前記未使用部分および前記流体物質を接触させるステップと、
ｇ．前記生化学試験手順の一部として前記流体物質を自動的に回収するステップと、
ｈ．前記生化学試験手順に対する所望の結果を達成するステップと
を含む、サンプル処理方法。
【請求項２】
前記生化学試験手順の一部として前記流体物質を自動的に回収するステップは、プロセスの少なくとも一部を完了したときに、前記物質を前記サンプルの近くから毛管回収するステップを含む、請求項１に記載のサンプル処理方法。
【請求項３】
前記プロセスの少なくとも一部を完了したときに、前記物質を前記サンプルの近くから毛管回収するステップは、プロセスの少なくとも一部を完了したときに、前記物質を前記サンプルの近くからウィッキングするステップを含む、請求項２に記載のサンプル処理方法。
【請求項４】
前記処理は、
免疫組織化学処理を行うステップと、
免疫細胞化学処理を行うステップと、
ｉｎ  ｓｉｔｕハイブリッド形成プロセスを行うステップと、
蛍光ｉｎ  ｓｉｔｕハイブリッド形成プロセスを行うステップと、
染色識別プロセスを行うステップと、
染色プロセスを行うステップと、
抗原回収プロセスを行うステップと、
細胞化学プロセスを行うステップと、
組織化学プロセスを行うステップと、
分子化学プロセスを行うステップと、
エピトープ回収プロセスを行うステップと、
前処理プロセスを行うステップと
から成るグループから選択されるステップを含む、請求項３に記載のサンプル処理方法。
【請求項５】
前記生化学試験手順の一部として吸収材料の未使用部分を露出位置に設置するよう吸収材料を自動的に配列するステップは、要素を回転させるステップを含む、請求項１に記載のサンプル処理方法。
【請求項６】
前記生化学試験手順の一部として吸収材料の未使用部分を露出位置に設置するよう吸収材料を自動的に配列するステップは、前記吸収材料の少なくとも一部を転がすステップを含む、請求項５に記載のサンプル処理方法。
【請求項７】
前記吸収材料の少なくとも一部を転がすステップは、
ａ．前記吸収材料の未使用部分を転がすステップと、
ｂ．前記吸収材料の未使用部分を転がすステップと協働して前記吸収材料の使用済み部分を転がすステップと
を含む、請求項６に記載のサンプル処理方法。
【請求項８】
前記吸収材料の未使用部分に露出位置で張力をかけるステップをさらに含む、請求項１に記載のサンプル処理方法。
【請求項９】
吸収材料を封入筐体に入れるステップをさらに含む、請求項１に記載のサンプル処理方法。
【請求項１０】
吸収材料を前記サンプルホルダーの近くの場所に自動的に動かすステップをさらに含む、請求項１に記載のサンプル処理方法。
【請求項１１】
前記吸収材料を前記サンプルホルダーの近くの位置に自動的に動かすステップは、吸収材料を前記サンプルホルダーの近くの位置に直線的に動かすステップを含む、請求項１０に記載の処理方法。
【請求項１２】
前記吸収材料を前記サンプルに対して中央角方向に設置するステップを含む、請求項１１に記載の処理方法。
【請求項１３】
前記吸収材料を前記サンプルホルダーの近くの位置に自動的に動かすステップは、初期接触点を越えて吸収材料を押し付けるステップ含む、請求項１１に記載の処理方法。
【請求項１４】
前記サンプルのすぐ近くから流体環境を実質的に除去するステップをさらに含む、請求項１に記載の処理方法。
【請求項１５】
前記サンプルのすぐ近くから流体環境を実質的に除去するステップは、前記サンプルのすぐ近くから前記流体環境を毛管除去するステップを含む、請求項１４に記載の処理方法。
【請求項１６】
前記サンプルのすぐ近くから前記流体環境を毛管除去するステップは、外部サンプル領域の少なくとも一部の近くにある制限的に密閉された流体環境を縮小するステップを含む、請求項１４に記載の処理方法。
【請求項１７】
ａ．前記物質を前記サンプルから一時的かつ実質的に除去するステップと、
ｂ．前記一時的かつ実質的に除去された物質の少なくとも一部を前記サンプルに再適用するステップと
をさらに含む、請求項１に記載の処理方法。
【請求項１８】
前記物質を前記サンプルから一時的かつ実質的に除去するステップは、前記物質を前記サンプルから繰り返し、一時的かつ実質的に除去するステップを含み、
前記一時的かつ実質的に除去された物質の少なくとも一部を前記サンプルに再適用するステップは、前記一時的かつ実質的に除去された物質の少なくとも一部を前記サンプルに繰り返し再適用するステップを含む、請求項１７に記載の方法。
【請求項１９】
前記サンプルを物質に暴露するステップは、
前記サンプルを一次抗体物質に暴露するステップと、
前記サンプルを二次抗体物質に暴露するステップと、
前記サンプルを色原体物質に暴露するステップと
を含む、請求項１に記載の方法。
【請求項２０】
前記サンプルを取得するステップは、
生体サンプルを取得するステップと、
細胞サンプルを取得するステップと、
組織サンプルを取得するステップと
から成るグループから選択されるサンプルを取得するステップを含む、請求項１に記載の方法。
【請求項２１】
前記サンプルを取得するステップは、薄い生体サンプルを取得するステップを含む、請求項１に記載の方法。
【請求項２２】
前記薄い生体サンプルを取得するステップは、生検サンプルを取得するステップを含む、請求項２１に記載の方法。
【請求項２３】
前記サンプルを表面に設置するステップをさらに含む、請求項１に記載の方法。
【請求項２４】
前記サンプルを表面に設置するステップは、前記サンプルを実質的に平坦な表面に設置するステップを含む、請求項２３に記載の方法。
【請求項２５】
前記サンプルを実質的に平坦な表面に設置するステップは、前記サンプルを顕微鏡スライドガラスに設置するステップを含む、請求項２４に記載の方法。
【請求項２６】
前記サンプルを顕微鏡スライドガラスに設置するステップは、前記サンプルを少なくとも２つの対向する顕微鏡スライドガラスの間に設置するステップを含む、請求項２５に記載の方法。
【請求項２７】
手術室時間制約環境において自動的に行われるよう前記プロセスを構成するステップと、
治療時間制約環境において自動的に行われるよう前記プロセスを構成するステップと、
手術時間制約環境において自動的に行われるよう前記プロセスを構成するステップと
から成るグループから選択されるステップをさらに含む、請求項１に記載の方法。
【請求項２８】
前記サンプルを取得するステップは、生検サンプルを取得するステップを含む、請求項１に記載の方法。
【請求項２９】
前記サンプルを取得するステップは、
癌腫関連サンプルを取得するステップと、
黒色腫関連サンプルを取得するステップと、
リンパ腫関連サンプルを取得するステップと、
辺縁検査関連サンプルを取得するステップと、
から成るグループから選択されるステップを含む、請求項１に記載の方法。
【請求項３０】
前記サンプルを取得するステップは、
上皮細胞サンプルを取得するステップと、
リンパ節サンプルを取得するステップと、
未分化腫瘍細胞サンプルを取得するステップと、
小児細胞サンプルを取得するステップと、
モースマッピング細胞サンプルを取得するステップと、
ヘリコバクター・ピロリ細胞サンプルを取得するステップと、
絨毛膜組織細胞サンプルを取得するステップと、
新生児ヘルペス細胞サンプルを取得するステップと、
プロテオミクスサンプルを取得するステップと
から成るグループから選択されるステップを含む、請求項１に記載の方法。
【請求項３１】
前記サンプルを取得するステップは、
前記サンプル内のリンパ節指示物質の存在の検出表示を提供するステップと、
前記サンプル内の移植手技指示物質の存在の検出表示を提供するステップと、
前記サンプル内の腫瘍分化指示物質の存在の検出表示を提供するステップと、
前記サンプル内の小児病理指示物質の存在の検出表示を提供するステップと、
前記サンプル内の小児非病理指示物質の存在の検出表示を提供するステップと、
前記サンプル内のモースマッピング指示物質の存在の検出表示を提供するステップと、
前記サンプル内の辺縁指示物質の存在の検出表示を提供するステップと、
前記サンプル内のヘリコバクター・ピロリ診断指示物質の存在の検出表示を提供するステップと、
前記サンプル内の治療マーカー指示物質の存在の検出表示を提供するステップと、
前記サンプル内の絨毛膜組織指示物質の存在の検出表示を提供するステップと、
前記サンプル内の小児ヘルペス物質の存在の検出表示を提供するステップと
から成るグループから選択されるステップを含む、請求項１に記載の方法。
【請求項３２】
吸収材料パラメータを予想された隣接する複数サンプル飽和度に調整するステップをさらに含む、請求項１に記載の方法。
【請求項３３】
前記吸収材料を複数サンプルの適切な増分において増加させるステップをさらに含む、請求項１に記載の方法。
【請求項３４】
前記複数サンプルの適切な増分を追跡するステップをさらに含む、請求項３３に記載の方法。